(57)【要約】【課題】  自動車の運転時に、外からの光で前方が見えにくくなるのを防止する為の道具である。【解決手段】  車内メーターパネルの上面に固定する固定手段を有する固定体と、表面が光反射を抑止する素材より少なくとも運転者へのメーターパネル上面からの運転に支障をきたす反射光が視野に入る位置を覆う形状と大きさよりなる光反射防止シートと、該光反射防止シートを前期固定体に着脱可能に固定する着脱機構とより構成される反射防止具。【選択図】図１
2007062721.tif 000002
【特許請求の範囲】
【請求項１】
車内メーターパネルの上面に固定する固定手段を有する固定体と、表面が光反射を抑止する素材よりなり少なくとも運転者へのメーターパネル上面からの運転に支障をきたす反射光が視野に入る位置を覆う形状と大きさよりなる光反射防止シートと、該光反射防止シートを前記固定体に着脱可能に固定する着脱機構とより構成される反射防止具。
【請求項２】
光反射防止シート裏面は反射シートを有する物であり、反射シートを上面にしてハンドルを覆う状態で固定体に固定できるものであり、駐停車時の太陽光によるハンドルの加温を抑止するものであることを特徴とする請求項１記載の反射防止具。
【請求項３】
表面が光反射を抑止する素材よりなり、少なくとも運転者へのメーターパネル上面からの運転に支障をきたす反射光が視野に入る位置を覆う形状と大きさよりなる光反射防止シートと、該光反射防止シート裏面に設けられたプレートと、該プレートに設けられた車内メーターパネルの上面に固定する固定手段を有する固定体と、前記プレートに設けられ任意の紙片を挟み込み固定できる挟持機構とより構成される反射防止具。
【発明の詳細な説明】
【技術分野】
【０００１】  本発明は、自動車の運転時に、外からの光で前方が見えにくくなるのを防止する為の道具である。
【背景技術】
【０００２】  従来、自動車を運転中、前方あるいは上方からの光がメーターパネルからフロントガラスに反射して、前方が見えにくくなることがあった。
運転者の眼への入光量を抑止するものとしては、フロントガラス上部がスモーク状に成ったものや室内の運転席天井部に付いた日除けが有る。
【発明の開示】
【発明が解決しようとする課題】
【０００３】  その為、次のような問題があった。
特に天気のよい日や、太陽の日差しの強い日、西日などを正面から受けた時などは、フロントガラスにメーターパネル上面からの反射光が当たり、数秒間前方が見えなくなるときがある。
また、今まで有ったフロントガラス上部がスモーク状の物や日除けでは、直射日光が眼に入るのを防ぐだけのものであったため、本発明が解決しようとするフロントガラスの反射は防ぐことはできなかった。
【課題を解決するための手段】
【０００４】  自動車内メーターパネルの上面に固定する固定手段を有する固定体と、表面が光反射を抑止する素材よりなり、少なくとも運転者へのメーターパネル上面からの反射光が視野に入る位置を覆う形状と大きさよりなる、光反射防止シートと、該光反射防止シートを前記固定体に着脱可能に固定する着脱機構とより構成される反射防止具。
【発明の効果】
【０００５】  確実に視界を確保し、事故を防止、さらに目の疲れを軽減することが出来る。
又、反射シートを備えハンドルを覆うように固定できることにより、駐停車時の太陽光によるハンドルの加温を抑止することが出来る
反射防止面の裏面にプレート及び挟持機構が設けられているため、運転日報、メモ帳などを挟み込み、記入することができる。
【発明を実施するための最良の形態】
【０００６】  以下、本発明の第一実施の形態について図１から図７を用いて説明する。
図における事例において、本発明は図１に示すように二つの固定体（２）と、光反射防止シート（１）と、固定体（２）と光反射防止シート（１）を着脱可能に固定する着脱機構から構成される。
固定体（２）は図２に示すように磁石に着磁する極めて薄い金属板の裏面に粘着層を有するものである。
光反射防止シート（１）は図３に示すように表面が光反射を抑制するシート素材よりなる。シート素材としては、カメラ撮影時の影発生を防止する黒い微起毛の布や紙などがあげられる。ここでは、光反射性能が極めて低いものが望ましいが、光反射を運転する範囲において抑制するものであればよい。また、図３ｂに示すように光反射防止シート裏面の手前位置には磁石収納部（６）が設けられており、図４に示すように平板状磁石（７）を収納した状態で周囲が縫合により綴じられた状態となっている。なおシート本体（５）の大きさ及び形状は図５に示すように、フロントガラスから入射し反射した光が運転手の視界に入る範囲となるメーターパネル上面を覆うものである。但し、送風口の状況に応じては、送風に支障を与えない範囲で覆えないものであってもよい。
着脱機構は、前記固定体の金属板と前記光反射防止シート（１）の磁石（７）を利用したものである。
本発明は以上の構成よりなる。
これを使用するときは光反射防止シートの磁石（７）を、固定体（２）に着磁させメーターパネル上面に固定させる。
これにより図６に示すようにドライバーへの眼への光が抑制され、より安全な視界が確保される。
そして図７に示すように光防止シート裏面は、反射シート（８）となっている固定体（２）を支点として、反射防止シートを反転させハンドルにかけ、ハンドルを覆うことにより駐停車の太陽光によるハンドルの加温を抑止することが出来る。【０００７】  以下、本発明の第二実施の形態について図８から図１１を用いて説明する。
図における事例において、本発明は図８に示すように二つの固定体（２）と、光反射防止シート（１）と、固定体（２）と光反射防止シート（１）を着脱可能に固定する着脱機構から構成される。
固定体は図８に示すように面ファスナー雄（１０ａ）の裏面に粘着層を有するものである。
光反射防止シートのシート本体は前記事例と同様である。
光反射防止シート裏面の手前位置には面ファスナー雌（１０ｂ）が設けられている。
着脱機構は、前記固定体の面ファスナー（１０ａ）と前記光反射シートの面ファスナー（１０ｂ）を利用したものである。
使い方としては前記事例と同様となる。【０００８】以下、本発明の第三の実施の形態について図１２及び図１３を用いて説明する。
図における事例において、本発明は図１２及び図１３に示すように、光反射防止シート（１）とプレート（１１）と固定体（２）と挟持機構（１２）と光反射防止シートを着脱可能に固定する着脱機構より構成されている。
固定体、光反射防止シートは前期事例と同様である。光反射シート裏面にはプレート（１１）が設けられている。プレート（１１）の表面には、前期固定体（２）と着脱する着脱手段と、挟持機構（１２）が設けられている。
これを使用するときは、プレート（１１）表面に設けられた着脱手段によりメーターパネル上面に固定させる。そして、前記挟持機構（１２）により固定されている紙片（１３）に記入するときは、プレート面を表にし、記入する。
【図面の簡単な説明】
【０００９】
【図１】本発明の斜視図
【図２】本発明固定体の分解図
【図３】本発明の正面図
【図４】本発明の側面図
【図５】本発明の使用状態を示す上面図
【図６】本発明の使用状態を示す側面図
【図７】本発明の使用状態を示す側面図
【図８】本発明の斜視図
【図９】本発明固定体の分解図
【図１０】本発明の正面図
【図１１】本発明の側面図
【図１２】本発明の正面図
【図１３】本発明の側面図
【符号の説明】
【００１０】１  光反射防止シート
２  固定体
３  金属板
４  粘着層
５  シート本体
６  固定体収納部
７  磁石
８  反射シート
１０；１０ａ；１０ｂ  面ファスナー
１１  プレート
１２  挟持機構
１３  紙片
【図１】
2007062721.tif 000003
【図２】
2007062721.tif 000004
【図３】
2007062721.tif 000005
【図４】
2007062721.tif 000006
【図５】
2007062721.tif 000007
【図６】
2007062721.tif 000008
【図７】
2007062721.tif 000009
【図８】
2007062721.tif 000010
【図９】
2007062721.tif 000011
【図１０】
2007062721.tif 000012
【図１１】
2007062721.tif 000013
【図１２】
2007062721.tif 000014
【図１３】
2007062721.tif 000015